(57)【要約】【課題】  風量を確保した上で軽量かつ小型で、騒音が小さく、さらにデザインの自由度が高いヘアードライヤーを実現する。【解決手段】  吸入口３と吹き出し口２を有し、送風用ファン５の回転により吸入口から吸い込んだ空気を本体ケース内の送風通路に収容したヒーターにより加熱して吹き出し口から温風として吹き出すヘアードライヤーにおいて、吸入口から吹き出し口に達する長さの円筒状のインナーケース５を本体ケース内１に収容することにより送風通路とし、吸入口側に頂点を向けた円錐状の円盤プレート６の表面から、複数枚の翼７を立設するとともに翼端７Ａを円盤プレートの外周からはみ出させた構成からなる送風用ファンを上記送風通路の吸入口寄りに配することにより、吸入口から吸い込んだ空気をインナーケースの内壁に衝突させて渦流を生じさせる。【選択図】      図１
2014128525.tif 000002
【特許請求の範囲】
【請求項１】
吸入口と吹き出し口を有し、送風用ファンの回転により吸入口から吸い込んだ空気を本体ケース内の送風通路に収容したヒーターにより加熱して吹き出し口から温風として吹き出すヘアードライヤーにおいて、吸入口から吹き出し口に達する長さの円筒状のインナーケースを本体ケース内に収容することにより送風通路とし、吸入口側に頂点を向けた円錐状の円盤プレートの表面から、複数枚の翼を立設するとともに翼端を円盤プレートの外周からはみ出させた構成からなる送風用ファンを上記送風通路の吸入口寄りに配することにより、吸入口から吸い込んだ空気をインナーケースの内壁に衝突させて渦流を生じさせることを特徴とするヘアードライヤー。
【請求項２】
送風用ファンの羽根片を肉厚とすることにより騒音の低減を図った請求項１記載のヘアードライヤー。
【発明の詳細な説明】
【技術分野】
【０００１】
この発明は温風を髪の毛に吹き付けることにより、濡れた髪の毛の乾燥を行ったり、スタイリングを行うために使用するヘアードライヤーに関する。
【背景技術】
【０００２】
吸入口と吹き出し口を有し、送風用ファンの回転により吸入口から吸い込んだ空気を本体ケース内の送風通路に収容したヒーターにより加熱して吹き出し口から温風として吹き出すヘアードライヤーが公知である。この種のヘアードライヤーは本来は濡れた髪の毛の乾燥を行う用途に使用されていたが、ヘアブラシなどで髪の毛を押さえたり巻いたりしながら乾かすことによって、スタイリングを行うためにも使用されている。
【０００３】
従来技術のヘアドライヤーにおいては、送風用ファンを本体ケースの吸入口に配し、本体ケースの内壁により囲まれる空間を送風通路として利用していた（例えば特許文献１、２）。
【先行技術文献】
【特許文献】
【０００４】
【特許文献１】特開２００４−３５１０３１
【特許文献２】特開２０１２−０１９８６６
【発明の概要】
【発明が解決しようとする課題】
【０００５】
ヘアドライヤーはそれを女性が使用することを想定した場合、軽量かつ小型で、騒音が小さく、さらにデザイン性が高いものが望まれることはもちろんである。
【０００６】
これに関し、軽量かつ小型にするには送風用ファンを駆動するモーターを小さいものにすることが想定されるが、そうした場合、モーターの出力の低下により風量が低下する問題が生じた。また、従来技術のドライヤーは本体ケースの内壁により囲まれる空間を送風通路として利用している関係上、本体ケースのデザインにはおのずからと制約があった。
【課題を解決するための手段】
【０００７】
この発明は前記の問題に鑑みて創作されたものであり、風量を確保した上で軽量かつ小型で、騒音が小さく、さらにデザインの自由度が高いヘアードライヤーを実現することを目的とする。すなわち、この発明のヘアドライヤーは吸入口と吹き出し口を有し、送風用ファンの回転により吸入口から吸い込んだ空気を本体ケース内の送風通路に収容したヒーターにより加熱して吹き出し口から温風として吹き出すヘアードライヤーにおいて、吸入口から吹き出し口に達する長さの円筒状のインナーケースを本体ケース内に収容することにより送風通路とし、吸入口側に頂点を向けた円錐状の円盤プレートの表面から、複数枚の翼を立設するとともに翼端を円盤プレートの外周からはみ出させた構成からなる送風用ファンを上記送風通路の吸入口寄りに配することにより、吸入口から吸い込んだ空気をインナーケースの内壁に衝突させて渦流を生じさせることを特徴とする。
【０００８】
また、請求項２記載のヘアドライヤーは、前記のヘアドライヤーにおいて送風用ファンの羽根片を肉厚とすることにより騒音の低減を図ったことを特徴とする。
【発明の効果】
【０００９】
この発明においては、第一に、送風通路は本体ケースの内壁により囲まれる空間を利用せずに、本体ケースの吸入口から吹き出し口に達する長さの円筒状のインナーケースを本体ケース内に収容することにより送風通路としている。よって、インナーケースは本体ケースの外形に左右されない自由な形状とすることができるので、吸入口から吹き出し口に達する長いものとできるとともに、内壁を風の流れを妨げる突起などがない円滑なものとでき、さらに内径を最適なものとすることにより送風用ファンにより生成した風を最大限に誘導して風量の増加を図ることができる。
【００１０】
第二に、送風用ファンを吸入口側に頂点を向けた円錐状の円盤プレートの表面から、複数枚の翼を立設するとともに翼端を円盤プレートの外周からはみ出させた構成としているので、送風通路内により多くの渦流を発生することが可能となる。すなわち、前記の送風用ファンの基本構成は公知の斜流ファンであり、風は軸流と輻流の中間、すなわち軸に対して斜め方向に流れ、送風通路となるインナーケース内で渦流を発生させるが、翼端を円盤プレートの外周からはみ出させているので、その箇所においては風は輻流方向に流れてインナーケース内壁に衝突するので前記の渦流をより多く発生させることとなり、風量の増加が図られることとなる。
【００１１】
以上の効果の複合により、この発明によれば、モーターを小型化して出力が低下しても十分な風量が確保されるので、軽量かつ小型のヘアードライヤーが実現される。また、本体ケースはその内壁により囲まれる空間を送風通路として利用しないのでデザインの自由度も高まり、デザイン性の高いヘアードライヤーが実現される。さらに、請求項２記載の発明のように送風用ファンの羽根片を肉厚とすることにより、風切り音を低減することができ、全体が本体ケースとインナーケースとの二重構造となっていることも相まって、騒音の少ないヘアードライヤーが実現される。
【図面の簡単な説明】
【００１２】
【図１】この発明のヘアードライヤーのインナーケース部の一部切り欠き側面図。
【図２】この発明のヘアードライヤーの側面図。
【図３】この発明のヘアードライヤーの送風用ファンの斜視図。
【図４】同上、背面図。
【図５】同上、正面図。
【図６】同上、側面図。
【図７】同上、底面図。
【図８】同上、断面図。
【発明を実施するための最良の形態】
【００１３】
以下、この発明の具体的実施例を添付図面に基づいて説明する。図２はこの発明のヘアードライヤーの全体を示す図である。このヘアードライヤーは本体ケース１の後端に吸入口３、前方に吹き出し口２を有し、送風用ファンの回転により吸入口から吸い込んだ空気を本体ケース内の送風通路に収容したヒーターにより加熱して吹き出し口から温風として吹き出す基本構成を有する。この発明においては送風用ファンおよびヒーターを本体ケース１内に直接収容するのではなく、送風通路として機能するインナーケース４内に収容し、このインナーケースを本体ケース内に収容している。
【００１４】
図１はインナーケース４の詳細を示す図である。このインナーケース４はヘアードライヤーの吸入口３から吹き出し口２に達する長さの円筒状からなり、図中符号４Ａは吸入口３側の開口、４Ｂは吹き出し口２側の開口を指す。このインナーケース４の吸入口３側の開口４Ａ近くにはモーターＭにより駆動される送風用ファン５が設けられ、その下流には図示しないヒーターが設けられ、必要に応じて図示しないイオン発生装置も設けられる。このインナーケース４は送風用ファン５が設けられる箇所は膨径部となり、その前後は縮径部に構成される。
【００１５】
図３〜図８は送風用ファン５を示す図である。この送風用ファン５はインナーケース４の吸入口３側の開口４Ａに頂点を向けた円錐状の円盤プレート６の表面から、軸中心から円周方向に延びる複数枚の翼７を立設するとともに、翼端７Ａを円盤プレートの外周からはみ出させた構成からなる。
【符号の説明】
【００１６】
１                  本体ケース
２                  吹き出し口
３                  吸入口
４                  インナーケース
５                  送風用ファン
６                  円盤プレート
７                  翼
７Ａ                翼端
【図１】
2014128525.tif 000003
【図２】
2014128525.tif 000004
【図３】
2014128525.tif 000005
【図４】
2014128525.tif 000006
【図５】
2014128525.tif 000007
【図６】
2014128525.tif 000008
【図７】
2014128525.tif 000009
【図８】
2014128525.tif 000010